(57)【要約】【課題】電線の外径差が大きい場合でも、電線の外径差を容易に吸収させることのできる電線の外径差吸収構造を提供する。【解決手段】外径の異なる各種の電線４を本体部２と蓋部３とで挟み込んで押えるための箱材１の、前記本体部２または前記蓋部３のいずれか一方の内壁８に、前記電線４の幅方向に延伸し、弾性を有する電線押え板５を設け、前記電線押え板５と前記箱材１の他方の内壁との間に前記電線４を挟み込んで前記電線押え板５を撓ませ、この撓みによって前記電線４の外径差を吸収させる電線の外径差吸収構造７において、前記電線押え板５の前記電線４の軸方向側には、自由端部１１が前記電線４方向に向き、２段階に可動することが可能な弾性を有する略Ｌ字型のアーム６が形成されている。【選択図】  図１
2004312937.tif 000002
【特許請求の範囲】
【請求項１】
外径の異なる各種の電線を本体部と蓋部とで挟み込んで押えるための箱材の、前記本体部または前記蓋部のいずれか一方の内壁に、前記電線の幅方向に延伸し、弾性を有する電線押え板を設け、
前記電線押え板と前記箱材の他方の内壁との間に前記電線を挟み込んで前記電線押え板を撓ませ、この撓みによって前記電線の外径差を吸収させる電線の外径差吸収構造において、
前記電線押え板の前記電線の軸方向側には、自由端部が前記電線方向に向き、２段階に可動することが可能な弾性を有する略Ｌ字型のアームが形成されていることを特徴とする電線の外径差吸収構造。
【請求項２】
前記略Ｌ字型のアームの折曲がり部分の角度は、直角または鈍角であることを特徴とする請求項１に記載の電線の外径差吸収構造。
【発明の詳細な説明】
【０００１】
【発明の属する技術分野】
本発明は、外径の異なる各種の電線を収納することができる電線の外径差吸収構造に関するものである。
【０００２】
【従来の技術】
従来の電線の外径差吸収構造は、例えば自動車等に使用される電線保護用プロテクタに設けられている。
【０００３】
この従来の電線保護用プロテクタは、図６に示すように形成されている。図において、電線保護用プロテクタ２０は、本体部２１と蓋部２２とを有する箱状に形成されていて、この電線保護用プロテクタ２０の本体部２１には、電線２３を挿通させることができるようになっている。この前記電線保護用プロテクタ２０の蓋部２２の内壁２５には、長手方向の両側縁にヒンジ部２６，２６を有する支承板２７を介して電線押え板２８が一体に形成された電線押え機構２９が形成されている。そして、この電線保護用プロテクタ２０の本体部２１に電線２３を挿通させて、前記本体部２１に前記蓋部２２を取り付けると、図７に示すように、電線２３が本体部２１の底面２４と前記電線押え機構２９に挟み込まれて、電線保護用プロテクタ２０に電線２３が保護されるようになっている。
【０００４】
図７において、電線保護用プロテクタ２０は、本体部２１に蓋部２２が取り付けられた状態となっている。そして、この本体部２１には、電線２３が挿通されている。この電線２３は、電線２３が本体部２１の底面２４と電線押え機構２９とに挟持された状態となっている。電線押え機構２９は、２箇所のヒンジ部２６，２６を有し、弾性を有する素材で形成されていることから、電線２３を本体部２１の底面２４と電線押え機構２９とで挟み込むことによって、前記電線押え機構２９が電線２３の外径の大きさに合わせて電線２３と接触し、本体部２１の底面２４と、電線押え機構２９の電線押え板２８とで電線２３を挟持することができるようになっている。このように、電線保護用プロテクタ２０は、ヒンジ部２６，２６を介して可動可能な電線押え機構２９が形成されていて、この電線押え機構２９の電線押え板２８と本体部２１とで電線を挟み込む構造となっているので、配線の変更などによって、保護する電線の種類が変わり、電線保護用プロテクタ２０に収納する電線の外径の大きさが多少変わっても、同一の電線保護用プロテクタ２０で異なる外径を有する電線２３を挟持することができるようになっている。
【０００５】
たとえば、図７に示すように、電線保護用プロテクタ２０に、外径の小さな電線２３を挿通させる場合には、本体部２１にこの電線２３を挿通した後、本体部２１と蓋部２２とを合わせると、蓋部２２に設けられた電線押え機構２９が、その弾性によって電線保護用プロテクタ２０の内部の空間に広がるようになっている。そして、この電線押え機構２９の電線押え板２８が電線２３を押え付け、電線２３が本体部２１の底面２４と電線押え機構２９とに挟持されている。
【０００６】
一方、図８に示すように、電線保護用プロテクタ２０は、外径の小さな電線２３の代わりに、外径の大きな電線３０を配線することができるようになっている。この電線保護用プロテクタ２０に、電線２３よりも外径の大きな電線３０を配線する場合には、本体部２１に電線３０を挿通した後、本体部２１と蓋部２２とを合わせると、図７と同様に、蓋部２１に設けられた電線押え機構２９が、その弾性によって、電線保護用プロテクタ２０の内部の空間の広さに合わせて広がるようになっている。このとき、この電線保護用プロテクタ２０の内部の空間は、配線する電線３０の外径が大きいことから、電線２３の時よりも狭くなっているので、電線押え機構２９が大きく撓み、支承板２７と電線押え板２８との間隔が狭い状態で、電線押え板２８で電線３０を押え付けるようになっている。
【０００７】
このように、従来の電線の電線保護用プロテクタに用いられる外径差吸収構造は、電線押え機構２９の撓みによって電線の外径の差を吸収させ、電線の異なる外径を吸収することができるようになっている（例えば、特許文献１参照。）。
【０００８】
【特許文献１】
特開平８−２５６４１６号公報（第３頁、第１図）
【０００９】
【発明が解決しようとする課題】
しかしながら、従来の電線の外径差吸収構造には、次のような問題があった。
【００１０】
すなわち、従来の電線の外径差吸収構造は、本体部２１に挿通させる電線の外径の大きさによって、電線押え機構２９の状態が大きく変わるため、電線押え機構２９に部分的に大きな負荷が掛かってしまうことがあった。このため、この電線押え機構２９を外径の小さな電線２３と外径の大きな電線３０の両方に対応させるためには、電線押え機構２９の屈曲する部分に、より一層の柔軟性を持たせる必要があった。
【００１１】
電線押え機構２９に、より一層の柔軟性をもたせると、電線押え機構２９が屈曲しやすくなり、部分的に大きな負荷がかかり難くなる反面、電線押え機構２９が電線を強く正確に押え付けることができなくなってしまうことがあった。特に、外径の小さい電線２３を挿通させた際には、電線押え機構２９が大きく広がり、電線押え機構２９によって電線２３を強く押え付けることが困難となってしまっていた。
【００１２】
本発明の目的は、電線の外径差が大きい場合でも、電線の外径差を容易に吸収させることのできる電線の外径差吸収構造を提供することにある。
【００１３】
【課題を解決するための手段】
上記目的を達成するために、請求項１に記載の電線の外径差吸収構造は、外径の異なる各種の電線を本体部と蓋部とで挟み込んで押えるための箱材の、前記本体部または前記蓋部のいずれか一方の内壁に、前記電線の幅方向に延伸し、弾性を有する電線押え板を設け、前記電線押え板と前記箱材の他方の内壁との間に前記電線を挟み込んで前記電線押え板を撓ませ、この撓みによって前記電線の外径差を吸収させる電線の外径差吸収構造において、前記電線押え板の前記電線の軸方向側には、自由端部が前記電線方向に向き、２段階に可動することが可能な弾性を有する略Ｌ字型のアームが形成されているものである。
このように構成することにより、請求項１に記載の発明によると、本体部と蓋部とからなる箱材の本体部または蓋部のいずれか一方の内壁に、弾性を有する電線押え板と、２段階に可動する略Ｌ字型のアームとからなる電線の外径差吸収構造が形成されているので、本体部に挿通させる電線の外径が小さい場合は、略Ｌ字型アームが電線と接触して、この電線の外径の大きさに合わせて可動し、これに連動して電線押え板が撓むようになっている。また、本体部に挿通させる電線の外径が大きい場合は、略Ｌ字型のアームが電線と接触して、この電線の外径の大きさに合わせて可動し、このアームと連動して電線押え板が撓み、さらに、必要に応じて、Ｌ字型のアームの折曲がり部分が鈍角となるように２段階に可動するようになっている。このように、箱材に挿通させる電線の外径の大きさによって、Ｌ字型のアームと、これに連動する電線押え板の可動の度合いが変化するので、電線の外径の大きさに関わらず電線の外径差を吸収させることができるようになる。また、Ｌ字型のアームと、これに連動する電線押え板の可動の度合いが変化するので、部分的に大きな負荷がかからないようにすることができるようになる。
【００１４】
上記目的を達成するために、請求項２に記載の電線の外径差吸収構造は、前記略Ｌ字型のアームの折曲がり部分の角度が、直角または鈍角となっているものである。
このように構成することにより、請求項２に記載の発明によると、電線と略Ｌ字型アームの自由端部とが接触した際に、電線の外径差を確実に吸収することができるようになる。
【００１５】
【発明の実施の形態】
以下、本発明に係る電線の外径差吸収構造の実施の形態について図面を用いて説明する。本実施の形態においては、特に電線保護用プロテクタに本発明の電線の外径差吸収構造が用いられたものを例に挙げて説明する。
【００１６】
図１には、本発明に係る電線の外径差吸収構造を用いた電線保護用プロテクタの斜視図が示されている。
図において、１は電線保護用プロテクタ（箱材）であって、本発明に係る電線の外径差吸収構造を有するものである。この電線保護用プロテクタ１はコ字状に延伸する本体部２と、該本体部２の開口面に嵌合する蓋部３を有する構造となっていて、該本体部２と蓋部３とを嵌合することで、箱状に形成されるようになっている。そして、この電線保護用プロテクタ１の本体部２には、電線４（仮想線で図示）が挿通されるようになっている。
【００１７】
本発明に係る電線の外径差吸収構造における電線保護用プロテクタ１には、電線押え板５とＬ字型のアーム６とからなる外径差吸収構造７が形成されている。本実施の形態において、この外径差吸収構造７は、蓋部３の内壁８に設けられている。
【００１８】
本実施の形態において、電線押え板５は、蓋部３の内壁８上に互いに対向する一対の側壁９を立設し、この側壁９の間に弾性を有する板面１０が延伸したコ字状に形成されている。また、この電線押え板５の延伸する幅は、前記本体部２の開口面の幅に合わせて形成されている。
【００１９】
そして、この電線押え板５の電線４の軸方向には、弾性を有するアーム６が設けられている。このアーム６は、２段階に可動可能となっていて、一辺が電線の軸方向に延伸し、他辺が電線方向に延伸するＬ字型に形成されている。本実施の形態においては、このＬ字型のアーム６の両辺が同じ長さとなるように形成されている。また、このアーム６は、折曲がり部分の角度が直角または鈍角に形成されるものである。本実施の形態において、このＬ字型のアーム６の折曲がり部分は、直角に形成されている。
【００２０】
図２には、図１のＸ−Ｘ線断面図が示されている。図において、電線押え板５は、蓋部３に立設されている。また、本実施の形態においては、この電線押え板５の板面１０とアーム６とが同じ厚みとなっている。そして、この電線押え板５及びアーム６は、電線に押し付けられると、その力によって、電線押え板５とアーム６とがそれぞれ矢印に示す方向に撓むようになっている。例えば、アーム６のうち、自由端部１１を有するアーム６Ｂは、この自由端部１１が電線（図示せず）に押し付けられることによって、アーム６Ｂに力がかかり、このアーム６Ｂが図における矢印ｃ方向に撓むようになっている。そして、このアーム６Ｂにさらに力がかけられると、このアーム６Ｂの動きを受けて、アーム６Ｂと連続して形成されるアーム６Ａが図における矢印ｄ方向に連動して撓むようになっている。すると、アーム６全体に矢印ｃ方向、矢印ｄ方向に力がかかることによって、アーム６全体が図における仮想線に示す位置に動くようになっている。ここで、このアーム６の支点となる電線押え板５は、アーム６と一体成形されているので、アーム６Ｂが電線に押し付けられると、これに連動して電線押え板５の板面１０の中心付近が、側壁９に支持されながら、アーム６の方向に捻れて撓むようになっている。このように、アーム６に力がかけられることによって、その力の度合いに合わせてアーム６及び電線押え板５の板面１０が蓋部３方向に撓むようになっている。また、このアーム６及び板面１０は、矢印ｃ，ｄ，ｅ方向にそれぞれ撓むと、このアーム６および板面１０には、この矢印ｃ，ｄ，ｅ方向とは逆方向に戻ろうとする力がはたらくようになっている。
【００２１】
続いて、本発明に係る電線の外径差吸収構造の動きを図面を用いて説明する。図３ないし図５には、電線保護用プロテクタの断面図が示されている。なお、図においては、便宜上、電線保護用プロテクタ１の本体部２と蓋部３とが、別体となっているものを例に挙げて説明する。
【００２２】
図３及び図４には、本発明に係る電線の外径差吸収構造を備えた電線保護用プロテクタ１に、外径の大きな電線４を収納する際の手順が示されている。本実施の形態においては、外径差吸収構造７が、電線保護用プロテクタ１の蓋部３の内壁に取り付けられたものを例に挙げて説明する。
【００２３】
図３（Ａ）において、電線保護用プロテクタ１の本体部２の底面１２には、この底面１２に密接するように電線４が挿通されている。また、蓋部３の内壁８には、外径差吸収構造７が取り付けられている。本実施の形態において、この外径差吸収構造７は、互いに対向する一対の側壁９を形成し、この側壁９の間に、弾性を有する板面１０が延伸したコ字型の電線押え板５と、この電線押え板５に取り付けられたＬ字型のアーム６とを有するものである。本実施の形態において、このＬ字型のアーム６は、２段階に可動可能に形成されていて、折曲がり部分が直角となっている。また、本実施の形態において、このアーム６を形成するアーム６Ａとアーム６Ｂとは、同じ長さとなっている。ここで、このアーム６Ａとアーム６Ｂの長さは同じ長さとしているが、特にアーム６Ｂの長さは、本体部２に蓋部３を取り付けた際に、自由端部１１が電線に届き、なおかつアーム６Ｂを撓ませることのできる最低限の長さを必要としている。図においては、このようなアーム６の自由端部１１が電線４を向いているので、蓋部３を本体部２に近づけると、この自由端部が電線４と最初に接触するようになっている。
【００２４】
図３（Ｂ）には、電線保護用プロテクタ１の本体部２に蓋部３が少し近づけられた状態が示されている。図のように、本体部２に蓋部３を近づけると、電線４と蓋部３との距離が短くなって、外径差吸収構造７のＬ字型のアーム６の自由端部１１が電線４と接触し、このアーム６が電線４に押し付けられた状態となる。そして、アーム６の自由端部１１が電線４に押し付けられて、蓋部３に向かって横方向に移動しようとする力がかかる。すると、アーム６Ａがアーム６Ｂにかかる力を受けて撓み、この撓みによって、アーム６Ｂが蓋部３に近づいた状態となる。また、このＬ字型のアーム６は、弾性を有する電線押え板５の板面１０を支点としているので、このようなアーム６の動きに連動して、板面１０が側壁９に支持されながらアーム６の方向に捻れて撓んだ状態となる。
【００２５】
図４（Ａ）には、図３（Ｂ）の電線保護用プロテクタ１の本体部２に、蓋部３がさらに近づけられた状態が示されている。図において、このアーム６が撓んだ状態で、本体部２に蓋部３をさらに近づけると、電線４と蓋部３との距離がさらに短くなって、アーム６が電線４にさらに押し付けられる。すると、このＬ字型のアーム６が弾性によってさらに撓んで、アーム６Ｂが蓋部３の方向に平行移動し、アーム６の折曲がり部分が内壁８と接触する。そして、このアーム６Ｂの動きを受けて、アーム６Ａがさらに撓んだ状態となる。このように、アーム６Ａとアーム６Ｂとが可動して撓むと、これに連動して、電線押え板５の板面１０がアーム６に引っ張られ、この板面１０がアーム６の方向に捻れて撓んだ状態となる。
【００２６】
そして、図４（Ｂ）に示すように、この本体部２と蓋部３とをさらに近づけて、本体部２に蓋部３を取り付ける。図において、外径差吸収構造７のアーム６は、その折曲がり部分が、既に蓋部３の内壁８に当たった状態となっている。この状態で本体部２に蓋部３が取り付けられ、アーム６が電線４にさらに押し付けられると、この電線４の外径に合わせて、アーム６Ｂが、Ｌ字型のアーム６の折曲がり部分を軸として、蓋部３の方向（Ｌ字型のアーム６の折曲がり部分の角度が鈍角となる方向）に撓むようになっている。すると、電線４と外径差吸収構造７とが、より接近するので、電線４が、アーム６と電線押え板５の板面１０との両方に押し付けられた状態となる。すなわち、Ｌ字型のアーム６が、電線４の外径の大きさに合わせて２段階に可動して撓み、外径の大きな電線４を、アーム６とこれに連動して可動する板面１０とで押え付けることができるようになっている。
【００２７】
このように、電線保護用プロテクタ１の内壁に外径差吸収構造７を設けて、該外径差吸収構造７のアーム６及び電線押え板５の板面１０で電線４を押え付けると、この外径差吸収構造７のアーム６と板面１０とが可動して、電線４の外径の大きさに合わせた形状となり、電線の外径差を吸収させることができるようになっている。また、このアーム６が撓むと、これに連動して弾性を有する板面１０がアーム６の方向に捻れて撓み、外径差吸収構造７には、部分的に負荷がかからないので、外径の大きな電線４を、本体部２と、アーム６及び板面１０とで確実に挟持することができるようになっている。
【００２８】
図５には、本発明に係る電線の外径差吸収構造を備えた電線保護用プロテクタ１に、外径の小さな電線を収納する際の手順が示されている。本実施の形態における電線保護用プロテクタ１は、図３及び図４で使用したものと同一のものとなっている。
【００２９】
図５（Ａ）において、電線保護用プロテクタ１の本体部２の底面１２には、外径の小さな電線１３が挿通されている。図において、この電線１３の外径は、図３に示す電線４の外径の大きさの約半分程度の大きさとなっている。また、蓋部３の内壁には、外径差吸収構造７が取り付けられている。この外径差吸収構造７は、図３及び図４のものと同様に、電線押え板５にＬ字型のアーム６が取り付けられた構造となっていて、２段階に可動可能に形成されている。また、本実施の形態におけるＬ字型のアーム６は、折曲がり部分が直角となるように形成されている。そして、このアーム６は、自由端部１１が電線１３を向いていて、蓋部３を本体部２に近づけると、アーム６の自由端部１１が電線１３と最初に接触するようになっている。そして、このような本体部２に、蓋部３を近づけていく。
【００３０】
図５（Ｂ）には、図５（Ａ）に示す電線保護用プロテクタ１の本体部２に蓋部３が取り付けられた状態が示されている。この図における電線１３は、外径が小さいので、本体部２に蓋部３が取り付けられる直前に、Ｌ字型のアーム６の自由端部が電線１３と接触するようになっている。そして、本体部２に蓋部３が取り付けられ、この両材が固定されると、Ｌ字型のアーム６の自由端部１１が電線１３に押し付けられる。すると、アーム６のアーム６Ａの部分が弾性によって撓み、蓋部３の方向に移動する。そして、この撓みに連動して、アーム６Ｂの部分が蓋部３に近づいた状態となる。また、このＬ字型のアーム６は、電線押え板５の板面１０と一体成形されているので、Ｌ字型のアーム６の動きに連動して、弾性を有する板面１０がアーム６の方向に捻れて撓むようになっている。
【００３１】
このように、電線保護用プロテクタ１の内壁に外径差吸収構造７を設けて、該外径差吸収構造７のアーム６で電線１３を押え付けると、このアーム６が可動して、電線保護用プロテクタ１の空間内部で電線１３の外径の大きさに合わせた形状となり、電線の外径差を吸収させることができるようになっている。また、このアーム６が可動して撓むと、これに連動して電線押え板５が撓み、電線の外径が小さい場合でも外径差吸収構造７に部分的に負荷がかかることがなく、電線１３を本体部２とアーム６とで確実に挟持することができるようになっている。
【００３２】
また、本発明に係る電線の外径差吸収構造は、電線の外径の大きさに関わらず、あらゆる外径の電線を挟持して電線の外径差を吸収することができるようになっている。
【００３３】
なお、本実施の形態においては、Ｌ字型のアームの折曲がり部分の角度が直角となっているものを例に挙げて説明したが、これに限るものではなく、このアームの角度は鈍角であってもよいものとする。このアームの角度を鈍角にすると、アームで電線を押し付けた際に、アームの折曲がり部分が開きやすくなる。
【００３４】
また、本実施の形態におけるＬ字型のアームは、電線の軸方向を向く長さと自由端部方向への長さとが同一となっているものを例に挙げて説明したが、これに限るものではなく、本体部に蓋部を取り付けた際に、電線方向を向くアームの長さが電線に届く長さであれば、Ｌ字型アームの一辺の長さが、他辺の長さよりも長い構造としてもよいものとする。
【００３５】
さらに、本実施の形態においては、図３ないし図５において、電線の外径差吸収構造におけるＬ字型のアーム及び電線押え板の一連の動きを説明したが、この外径差吸収構造の一連の動きはこれに限るものではない。すなわち、この電線の外径差吸収構造の一連の動きは、外径差吸収構造を構成する各部材のサイズや、Ｌ字型のアームの両辺の長さのバランス、折曲がり部分の角度によって変化するものであり、これによってアーム６の撓み方が変化することがある。
【００３６】
また、本実施の形態においては、電線の外径差吸収構造が、特に電線用プロテクタに備えられた例を挙げて説明したが、これに限るものではなく、この外径差吸収構造は、本体部と蓋部とを有し、電線を挿通できる箱材であれば、その内壁に設けて、電線の外径差を吸収させることができるものである。また、本実施の形態においては、電線の外径差吸収構造が箱材の蓋部の内壁に設けられた例を挙げて説明しているが、これに限るものではなく、この電線の外径差吸収構造を箱材の本体部の内壁に設けて、この本体部に電線を挿通させ、電線をこの外径差吸収構造と蓋部とで挟持させることも可能となっている。
【００３７】
【発明の効果】
本発明は、以上説明したように構成されているので、以下に記載されるような効果を奏する。
【００３８】
請求項１に記載の発明によれば、箱材の内壁に、電線押え板と、２段階に可動するＬ字型のアームとからなる外径差吸収構造を形成させたことにより、電線の外径の大きさに合わせて、Ｌ字型のアームと電線押え板とが必要量撓んで、電線を押え付けることができるので、箱材内に挿通させる電線の外径の大きさに関わらず、電線の外径差を吸収させることができるようになる。また、このＬ字型アームの自由端部が電線に押し付けられてアームが可動すると、このアームの動きに連動して電線押え板が撓むので、部分的に負荷がかかることがなく、電線の外径の大きさに関係なく、強く正確に電線を押え付けることが可能となっている。また、このような構成から、電線の外径差吸収構造を電線保護用プロテクタに用いた場合、配線の変更により電線保護用プロテクタなどで保護する電線の外径が変わった場合でも、同一の電線保護用プロテクタを使用して、電線を保護することができるようになる。
【００３９】
請求項２に記載の発明によれば、Ｌ字型のアームの折曲がり部分の角度が、直角または鈍角となっているので、電線とＬ字型アームとが接触した際に、電線をＬ字型アームで強く正確に押え付けることができるようになる。
【図面の簡単な説明】
【図１】本発明に係る電線の外径差吸収構造を用いた箱材の斜視図である。
【図２】図１における箱材の一部分の断面図である。
【図３】本発明に係る電線の外径差吸収構造の動きを示す断面図である。
【図４】本発明に係る電線の外径差吸収構造の動きを示す断面図である。
【図５】本発明に係る電線の外径差吸収構造の動きを示す断面図である。
【図６】従来の電線の外径差吸収構造を備えた電線保護用プロテクタの斜視図である。
【図７】図６に示す電線保護用プロテクタに外径の小さな電線が保護されている状態を示す断面図である。
【図８】図６に示す電線保護用プロテクタに外径の大きな電線が保護されている状態を示す断面図である。
【符号の説明】
１…………電線保護用プロテクタ（箱材）
２…………本体部
３…………蓋部
４，１３…電線
５…………電線押え板
６…………アーム
７…………外径差吸収構造
８…………内壁
１１………自由端部
【図１】
2004312937.tif 000003
【図２】
2004312937.tif 000004
【図３】
2004312937.tif 000005
【図４】
2004312937.tif 000006
【図５】
2004312937.tif 000007
【図６】
2004312937.tif 000008
【図７】
2004312937.tif 000009
【図８】
2004312937.tif 000010